(57)【要約】【課題】グレーチングに発光器をグレーチング上表面から突出しないように容易に取付けることができるようにするための取付金具を提供する。【解決手段】一対の左右の側壁１２と、両側壁１２を下端において連結する底壁１３と、各側壁１２の上端から折返される折返部１４と側壁１２とで構成され、グレーチング１９を構成するツイストバー１９ｂに嵌着して把持するグリップ部１５と、各側壁１２に突出形成され、底壁上に装着した発光器１８の上方への動きを規制する断面略三角形の爪状の突起部２２よりなり、折返部１４の下側部は更に外向きに折曲される拡開部１４ａとなり、取付金具１１をツイストバー１９ｂに押込むときのガイドとしての機能と、取付金具１１を嵌着するとき、ドライバーを当てて押込むことができるようにする。【選択図】図６
2015010437.tif 000002
【特許請求の範囲】
【請求項１】
縦桟と横桟よりなるグレーチング又は平板状のベアリングバーと、該ベアリングバーに直交して固着される丸棒状のツイストバーよりなるグレーチングの前記縦桟と横桟とで囲まれる空間内又は前記ベアリングバーとツイストバーとで囲まれる空間内に夜間に点灯する発光器を取付けるための取付具であって、一対の左右の側壁と、両側壁を下端において連結する底壁と、各側壁の上端から下向きに折返される折返部と前記側壁とで構成され、前記グレーチングの縦桟又は横桟に、或いはベアリングバー又はツイストバーに上方より嵌着して把持するグリップ部と、前記左右の各側壁に形成され、底壁上に装着される発光器の上方への動きを規制する規制部を有することを特徴とする取付具。
【請求項２】
板金製で、前記規制部が屈折形成された突起部よりなることを特徴とする請求項１記載の取付金具。
【請求項３】
折返し部が外側方に斜めに拡開する拡開部を有することを特徴とする請求項１又は２記載の取付金具。
【発明の詳細な説明】
【技術分野】
【０００１】
本発明は、側溝に装着のグレーチングに発光器を取付けるための取付具に関する。
【背景技術】
【０００２】
下記特許文献１には、側溝に取付けられるグレーチングに発光器を取付け、夜間に点灯させて道路を通行する通行人や自動車の運転者の誘導となるようにしたものが開示されている。具体的には、発光器として図１に示すように表面側が透明な、例えばポリカーボネイト樹脂よりなる密閉容器１内に太陽電池２と、太陽電池２によって発電された電力を充電する蓄電器３と、充電器３から供給された電力により発光する発光ダイオード４と、太陽電池２から蓄電器３への充電制御及び蓄電器３から発光ダイオード４に電力を供給して点滅させる放電制御を行うコントローラ５を設けた発光器７を用い、グレーチングへの取り付けは、縦桟と横桟よりなるグレーチングの中央部において縦桟と横桟を除去した空間部に有底の容器８を横桟９ｂ又は縦桟９ａに溶接にて固着し、該容器内に前記発光器７を納めて発光器７がグレーチングの上表面から突出しないようにし、グレーチング上を走行或いは歩行する車両や通行人に接触して破損することがないようにしている。
【先行技術文献】
【特許文献】
【０００３】
【特許文献１】特開２００２−３５６９０５号
【発明の概要】
【発明が解決しようとする課題】
【０００４】
特許文献１に開示される発光器を備えたグレーチングによると、発光器が光エネルギーを蓄電して点灯するため、夜間誘導灯や目印としての機能を発揮すること、グレーチングの盗難は主として夜間に発生するが、夜間に点灯することで警戒感を抱かせ、盗難防止に寄与すること、足元で点灯することにより街灯がない暗い夜道の安全性向上に寄与することなどの効果を発揮するが、発光器７が納められる容器８はグレーチングの横桟９ｂ又は縦桟９ａに溶接にて固着されるようになっており、中央部の横桟９ｂ及び縦桟９ａが除去されているとはいえ、狭い空間内で容器８の溶接作業を行うことは容易でない。しかもこの容器８の溶接は、中に納められる発光器７がグレーチング上を走行する車両や歩行者に接触して損傷することがないようにグレーチング上表面から突出しないようにして行わねばならないが、例えば図１に示すように発光器上面に周囲からの光を太陽電池２に集光させるために球状の透光部１ａが突出形成されているもののように、発光器７の一部が容器８から突出している場合、発光器がグレーチング上表面から突出しないように容器８を横桟９ｂ又は縦桟９ａに位置決めして取付けるのは面倒である。
【０００５】
本発明は、グレーチングに発光器をグレーチング上表面から突出しないように容易に取付けることができるようにするための取付具を提供することを目的とする。
【課題を解決するための手段】
【０００６】
請求項１に係る発明は、縦桟と横桟よりなるグレーチング又は平板状のベアリングバーと、該ベアリングバーに直交して固着される丸棒状のツイストバーよりなるグレーチングの前記縦桟と横桟とで囲まれる空間内又は前記ベアリングバーとツイストバーとで囲まれる空間内に夜間に点灯する発光器を取付けるための取付具であって、一対の左右の側壁と、両側壁を下端において連結する底壁と、各側壁の上端から下向きに折返される折返部と前記側壁とで構成され、前記グレーチングの縦桟又は横桟に、或いはベアリングバー又はツイストバーに上方より嵌着して把持するグリップ部と、前記左右の各側壁に形成され、底壁上に装着される発光器の上方への動きを規制する規制部を有することを特徴とする。
【０００７】
請求項２に係る発明は、請求項１に係る発明の取付具が板金製で、前記規制部が屈折形成された突起部よりなることを特徴とし、
請求項３に係る発明は、請求項１又は２に係る発明の取付具は、折返部が外側方に斜めに拡開する拡開部を有することを特徴とする。
【発明の効果】
【０００８】
請求項１に係る発明の取付具によると、左右のグリップ部をグレーチングの縦桟又は横桟に、或いはベアリングバー又はツイストバーに上方より嵌着するだけで取付けることができ、発光器の上方への動きを規制する規制部を発光器がグレーチング上表面より突出しないように設計して形成することは容易にでき、こうした構成にしておけば、グレーチングに取付具を取付けるだけで取付具に装着される発光器がグレーチング上表面から確実に突出しないようになる。
【０００９】
請求項２に係る発明の取付具によると、規制部の突起部が板金を加工することで容易に形成でき、又グリップ部をグレーチングの縦桟又は横桟或いはベアリングバーに嵌着する場合、突起部下の側壁が桟或いはベアリングバーの上端を除く箇所に弾着するが、側壁全体が上端を含む桟或いはベアリングバーに弾着するよりも応力集中によるグリップ力が増し、しっかりと固定することができる。
【００１０】
請求項３に係る発明の取付具によると、拡開部がグリップ部を桟又はベアリングバーに上方より嵌着するときにガイドとしての機能を果たし、嵌着しやすくなること、嵌着する際、ドライバー等の工具を用い、該工具を拡開部に当てて上方より押込むことでグリップ部を容易に嵌着することができること等の効果を有する。
【図面の簡単な説明】
【００１１】
【図１】発光器を取付けたグレーチングの従来構造を示す側断面図。
【図２】本発明に係る取付金具の斜視図。
【図３】取付金具の別の例の要部を示す正面図。
【図４】更に別の例の要部を示す正面図。
【図５】発光器を装着した取付金具をグレーチングに取付けるときの態様を示す側断面図。
【図６】グレーチングに取付けた態様を示す側断面図。
【図７】取付け後の態様を示す側断面図。
【発明を実施するための形態】
【００１２】
以下、本発明の実施形態の取付具について図面により説明する。
取付具として用いられる図２に示す取付金具１１は板金製で、左右の側壁１２と、両側壁１２を下端において連結する底壁１３と、側壁上端より側壁１２外側面と一定の間隔を存して下向きに折返される折返部１４と前記側壁１２とで構成されるグリップ部１５と、側壁上端より内向きに突出する規制部としての突起部１６よりなり、該突起部下の側壁と底壁とが後述する発行器１８の収納部を構成している。この収納部は前後面に側壁を有さず、開口しているが、前後面のうち、いずれか一方の面に側壁を設けていてもよい。
【００１３】
折返部１４は好ましくは中間部から図示するように巾狭に形成され、下側部が更に外側に折曲されて斜めに拡開する爪部１４ａとなっており、中央部には拡開部下端より折返部中間部に達するスリット１７が形成されている。爪部１４が巾狭に形成されることにより爪部１４ａの押込み時に爪部１４が変形し易くしてある。なお本実施形態の爪部１４ａは必須ではなく、省いてもよい。
【００１４】
突起部１６は取付金具１１に装着される後述の発光器の抜出しを防ぐためのもので、下面が面取りされた発光器のコーナに対応して傾斜した断面略三角形の突起部となっているが、発光器のコーナが面取りされていない場合には、例えば図３に示すような断面矩形の突起部２１又は図４に示すような折返した突起部２２としてもよい。
【００１５】
取付金具１１に装着される発光器１８は、ソーラーＬＥＤとして市販されているもので、前述の発光器３と同様の構造のもの、すなわち例えばポリカーボネイト樹脂よりなり、上端の両コーナーを面取りした直方体の密閉容器内に太陽電池と、太陽電池によって発電された電力を充電する蓄電器と、充電器から供給された電力により発光する発光ダイオードと、太陽電池から蓄電器への充電制御及び蓄電器から発光ダイオードに電力を供給して点滅させる放電制御を行うコントローラを設けた構造の発光器を用いることができる。発光ダイオードの発光は点滅するものであってもよいし、連続して点灯するものであってもよい。
【００１６】
図５〜図７は、ベアリングバー１９ａとツイストバー１９ｂよりなるグレーチング１９に発光器１８を取付けるときの態様を示すもので、先ず取付金具１１の開口した両側面のうちの一方より発光器１８を押込み、前記収納部に装着する。
【００１７】
装着状態で、発光器１８は底壁１３と接触し、前期両コーナの面取部分が突起部１６に下方より宛がわれた状態となって上方への動きが規制される。取付金具１１への発光器１８の装着に前後してツイストバー１９ｂにゴムないし、軟質又は発泡樹脂製のシート２４を巻付けて取付けておく。このシート２４は、ツイストバー１９ｂに取付金具１１を取付けたとき、該取付金具１１ががた付かないようにするためのものである。
【００１８】
次に発光器１８を装着した取付金具１１をツイストバー間に宛がい押込む。押込み時には拡開部１４ａがツイストバー１９ｂに当たり、ガイドされながら押込まれることで取付金具１１がツイストバー間に位置決めされ、所定位置に嵌着される。嵌着はドライバー等の工具を用いて爪部１４ａに宛がい、該爪部１４ａを上方より押込むことでグリップ部上端がツイストバー１９ｂに支えるまで行われる。爪部１４ａは押込むことで弾性変形するが、強く押込むと塑性変形しうるようになる。図７は塑性変形した爪部１４ａを例示するものである。
【００１９】
本実施形態によると、取付具が板金を加工することで容易に形成できること、左右のグリップ部１５をグレーチング１９のツイストバー１９ｂに上方より嵌着するだけで取付けることができ、取付金具１１に装着される発光器が突起部１６に規制されてグレーチング上表面から確実に突出しないようにできること、シート２４を巻付けたグレーチング１９のツイストバー１９ｂがグリップ部１５に嵌着され、しっかりと固定できること、爪部１４ａがグリップ部１５をツイストバー１９ｂに上方より嵌着するときにガイドとしての機能を果たし、取付金具１１が位置決めされて取付けできるようになること、嵌着する際、ドライバー等の工具を用い、該工具を爪部１４ａに当てて上方より押込むことでグリップ部１５を容易に嵌着することができること等の効果を有する。
前述する実施形態において、取付具は板金製の取付金具１１となっているが、耐磨耗性を有する硬質樹脂製であってもよい。この場合、爪部１４ａの押込みにより該爪部１４ａが塑性変形し、或いは中途ないし全体が破断し除去されるが、爪部１４ａが塑性変形することなく図６に示す状態で取付けが完了するようになることもある。
【００２０】
前記実施形態では、取付金具１１はグレーチング１９のツイストバー１９ｂに取付けているが、ベアリングバー１９ａに嵌着して取付けてもよい。また特許文献１に示されるような縦桟と横桟を有するグレーチングの縦桟又は横桟に嵌着して取付けることもできる。
【符号の説明】
【００２１】
１１・・取付金具
１２・・側壁
１３・・底壁
１４・・折返部
１４ａ・・爪部
１５・・グリップ部
１６、２１、２２・・突起部
１７・・スリット
１８・・発光器
１９・・グレーチング
２４・・チューブ
【図１】
2015010437.tif 000003
【図２】
2015010437.tif 000004
【図３】
2015010437.tif 000005
【図４】
2015010437.tif 000006
【図５】
2015010437.tif 000007
【図６】
2015010437.tif 000008
【図７】
2015010437.tif 000009